(57)【要約】【課題】オーバーステア状態を抑制するための制動力を適切に調整して、車両挙動制御中にアンダーステア状態が発生することを抑制することができる車両挙動制御装置を提供する。【解決手段】車両挙動制御装置の制御部１００は、操舵角速度ωを取得する操舵角速度算出手段１３０と、横加速度ＡＹを取得する横加速度取得手段１１１と、車両の旋回外輪に、設定した目標制動力で制動力を与えることにより車両の挙動を安定させる挙動安定制御を実行する挙動安定制御手段１６０とを備える。挙動安定制御手段１６０は、目標制動力を設定する目標液圧設定部１６８と、急操舵がされた場合に横加速度ＡＹを記憶する横加速度記憶部１６７とを有する。目標液圧設定部１６８は、横加速度記憶部１６７が記憶した横加速度ＡＹが横加速度閾値を超えた場合に、横加速度記憶部１６７が記憶した横加速度ＡＹが大きいほど目標制動力の上限を小さく設定する。【選択図】図３
2015127159.tif 000002
【特許請求の範囲】
【請求項１】
操舵角速度を取得する操舵角速度取得手段と、
横加速度を取得する横加速度取得手段と、
車両の旋回外輪に、設定した目標制動力で制動力を与えることにより車両の挙動を安定させる挙動安定制御を実行する挙動安定制御手段とを備え、
前記挙動安定制御手段は、
前記目標制動力を設定する目標制動力設定部と、
急操舵がされた場合に前記横加速度を記憶する横加速度記憶部とを有し、
前記目標制動力設定部は、前記横加速度記憶部が記憶した横加速度が横加速度閾値を超えた場合に、前記横加速度記憶部が記憶した横加速度が大きいほど前記目標制動力の上限を小さく設定することを特徴とする車両挙動制御装置。
【請求項２】
前記目標制動力設定部は、前記横加速度記憶部が記憶した横加速度が前記横加速度閾値以下である場合に、前記目標制動力の上限を一定に設定することを特徴とする請求項１に記載の車両挙動制御装置。
【発明の詳細な説明】
【技術分野】
【０００１】
本発明は、車両の挙動を安定させる車両挙動制御装置に関する。
【背景技術】
【０００２】
車両の挙動を安定させる挙動安定制御装置として、車両の直進中などにステアリングが急操舵されることでオーバーステア状態が発生したときに、車両の旋回外輪に制動力を与えることでオーバーステア状態を抑制するように構成されたものが知られている（例えば、特許文献１参照）。
【先行技術文献】
【特許文献】
【０００３】
【特許文献１】特開２０１０−６４７２０号公報
【発明の概要】
【発明が解決しようとする課題】
【０００４】
ところで、従来の車両挙動制御装置においては、車両の旋回中に急操舵がされた場合も、直進中に急操舵された場合と同じ制動力が車輪に与えられるため、オーバーステア状態が過剰に抑制されて必要以上にヨーレートが減少し、アンダーステア状態を引き起こす可能性があった。
【０００５】
そこで、本発明は、オーバーステア状態を抑制するための制動力を適切に調整して、車両挙動制御中にアンダーステア状態が発生することを抑制することができる車両挙動制御装置を提供することを目的とする。
【課題を解決するための手段】
【０００６】
前記課題を解決する本発明は、操舵角速度を取得する操舵角速度取得手段と、横加速度を取得する横加速度取得手段と、車両の旋回外輪に、設定した目標制動力で制動力を与えることにより車両の挙動を安定させる挙動安定制御を実行する挙動安定制御手段とを備え、前記挙動安定制御手段は、前記目標制動力を設定する目標制動力設定部と、急操舵がされた場合に前記横加速度を記憶する横加速度記憶部とを有し、前記目標制動力設定部は、前記横加速度記憶部が記憶した横加速度が横加速度閾値を超えた場合に、前記横加速度記憶部が記憶した横加速度が大きいほど前記目標制動力の上限を小さく設定することを特徴とする。
【０００７】
このような構成によると、記憶した横加速度が横加速度閾値を超えた場合に、言い換えれば、車両に所定以上の横加速度が作用する旋回中に、急操舵されたとき、記憶した横加速度が大きいほど目標制動力の上限を小さく設定するため、必要以上にヨーレートが減少することを抑制することができる。これにより、車両挙動制御中にアンダーステア状態が発生することを抑制することができる。
【０００８】
前記した装置において、前記目標制動力設定部は、前記横加速度記憶部が記憶した横加速度が前記横加速度閾値以下である場合に、前記目標制動力の上限を一定に設定する構成とすることができる。
【０００９】
このような構成によると、車両に作用する横加速度が小さい旋回中や直進中に、急操舵されたとき、目標制動力が必要以上に小さく設定されることを抑制することができるので、オーバーステア状態を効果的に抑制して、車両の挙動をより安定させることができる。
【発明の効果】
【００１０】
本発明の車両挙動制御装置によれば、オーバーステア状態を抑制するための制動力を適切に調整して、車両挙動制御中にアンダーステア状態が発生することを抑制することができる。
【図面の簡単な説明】
【００１１】
【図１】本発明の一実施形態に係る車両挙動制御装置を備えた車両の構成図である。
【図２】液圧ユニットの構成を示す構成図である。
【図３】制御部の構成を示すブロック図である。
【図４】操舵角速度とオフセット量の関係を示すマップである。
【図５】操舵角、操舵角速度および横加速度の変化を示すタイミングチャートである。
【図６】目標液圧を設定するための、規範ヨーレートと限界ヨーレートの偏差と、目標液圧との関係を示すマップである。
【図７】液圧上限値を設定するための、横加速度記憶部が記憶した横加速度と液圧上限値との関係を示すマップである。
【図８】終了処理モードにおける今回の目標液圧ＰＴｎを設定するための、前回の目標液圧ＰＴｎ−１と今回の目標液圧ＰＴｎの関係を示すマップである。
【図９】挙動安定制御の全体処理を示すフローチャートである。
【図１０】目標液圧設定の処理を示すフローチャートである。
【図１１】制御終了判定の処理を示すフローチャートである。
【図１２】車両挙動制御の動作を説明するための、車両速度、各種のヨーレートおよび操舵角速度の変化を示すタイミングチャートである。
【図１３】従来の車両挙動制御装置における、（ａ）操舵角、実ヨーレートおよびスリップ角の変化、（ｂ）各車輪のブレーキ液圧の変化、を示すタイミングチャートである。
【図１４】本実施形態の車両挙動制御装置における、（ａ）操舵角、実ヨーレートおよびスリップ角の変化、（ｂ）各車輪のブレーキ液圧の変化、を示すタイミングチャートである。
【図１５】比較例の車両挙動制御装置における、（ａ）操舵角、横加速度、実ヨーレートおよびスリップ角の変化、（ｂ）各車輪のブレーキ液圧の変化、を示すタイミングチャートである。
【図１６】本実施形態の車両挙動制御装置における、（ａ）操舵角、横加速度、実ヨーレートおよびスリップ角の変化、（ｂ）各車輪のブレーキ液圧の変化、を示すタイミングチャートである。
【発明を実施するための形態】
【００１２】
次に、本発明の実施形態について、適宜図面を参照しながら詳細に説明する。
図１に示すように、一実施形態に係る車両挙動制御装置Ａは、車両ＣＲの各車輪Ｗに付与する制動力を適宜制御する装置である。車両挙動制御装置Ａは、油路や各種部品が設けられる液圧ユニット１０と、液圧ユニット１０内の各種部品を適宜制御するための制御部１００とを主に備えている。
【００１３】
各車輪Ｗには、それぞれ車輪ブレーキＦＬ，ＲＲ，ＲＬ，ＦＲが備えられ、各車輪ブレーキＦＬ，ＲＲ，ＲＬ，ＦＲには、液圧源としてのマスタシリンダＭＣから供給される液圧により制動力を発生するホイールシリンダＨが備えられている。マスタシリンダＭＣとホイールシリンダＨとは、それぞれ液圧ユニット１０に接続されている。そして、ブレーキペダルＢＰの踏力（運転者の制動操作）に応じてマスタシリンダＭＣで発生したブレーキ液圧が、制御部１００および液圧ユニット１０で制御された上でホイールシリンダＨに供給される。
【００１４】
制御部１００には、マスタシリンダＭＣの圧力を検出する圧力センサ９１と、各車輪Ｗの車輪速度を検出する車輪速センサ９２と、ステアリングＳＴの操舵角θを検出する操舵角センサ９３と、車両ＣＲの横方向に作用する加速度（横加速度ＡＹ）を検出する横加速度センサ９４が接続されている。そして、この制御部１００は、例えば、ＣＰＵ(Central Processing Unit）、ＲＡＭ(Random Access Memory)、ＲＯＭ(Read Only Memory)および入出力回路を備えており、各センサ９１〜９４からの入力と、ＲＯＭに記憶されたプログラムやデータに基づいて各種演算処理を行うことによって、制御を実行する。なお、制御部１００の詳細は、後述することとする。
【００１５】
図２に示すように、液圧ユニット１０は、運転者がブレーキペダルＢＰに加える踏力に応じたブレーキ液圧を発生する液圧源であるマスタシリンダＭＣと、車輪ブレーキＦＲ，ＦＬ，ＲＲ，ＲＬとの間に配置されている。液圧ユニット１０は、ブレーキ液が流通する油路（液圧路）を有する基体であるポンプボディ１０ａ、油路上に複数配置された入口弁１、出口弁２等から構成されている。マスタシリンダＭＣの二つの出力ポートＭ１，Ｍ２は、ポンプボディ１０ａの入口ポート１２１に接続され、ポンプボディ１０ａの出口ポート１２２が、各車輪ブレーキＦＬ，ＲＲ，ＲＬ，ＦＲに接続されている。そして、通常時はポンプボディ１０ａ内の入口ポート１２１から出口ポート１２２までが連通した油路となっていることで、ブレーキペダルＢＰの踏力が各車輪ブレーキＦＬ，ＲＲ，ＲＬ，ＦＲに伝達されるようになっている。
【００１６】
ここで、出力ポートＭ１から始まる油路は、前輪左側の車輪ブレーキＦＬと後輪右側の車輪ブレーキＲＲに通じており、出力ポートＭ２から始まる油路は、前輪右側の車輪ブレーキＦＲと後輪左側の車輪ブレーキＲＬに通じている。なお、以下では、出力ポートＭ１から始まる油路を「第一系統」と称し、出力ポートＭ２から始まる油路を「第二系統」と称する。
【００１７】
液圧ユニット１０には、その第一系統に各車輪ブレーキＦＬ，ＲＲに対応して二つの制御弁手段ＶＬが設けられており、同様に、その第二系統に各車輪ブレーキＲＬ，ＦＲに対応して二つの制御弁手段ＶＬが設けられている。また、この液圧ユニット１０には、第一系統および第二系統のそれぞれに、リザーバ３、ポンプ４、オリフィス５ａ、調圧弁（レギュレータ）Ｒ、吸入弁７が設けられている。また、液圧ユニット１０には、第一系統のポンプ４と第二系統のポンプ４とを駆動するための共通のモータ９が設けられている。
【００１８】
なお、以下では、マスタシリンダＭＣの出力ポートＭ１，Ｍ２から各調圧弁Ｒに至る油路を「出力液圧路Ａ１」と称し、第一系統の調圧弁Ｒから車輪ブレーキＦＬ，ＲＲに至る油路および第二系統の調圧弁Ｒから車輪ブレーキＲＬ，ＦＲに至る油路をそれぞれ「車輪液圧路Ｂ」と称する。また、出力液圧路Ａ１からポンプ４に至る油路を「吸入液圧路Ｃ」と称し、ポンプ４から車輪液圧路Ｂに至る油路を「吐出液圧路Ｄ」と称し、さらに、車輪液圧路Ｂから吸入液圧路Ｃに至る油路を「開放路Ｅ」と称する。
【００１９】
制御弁手段ＶＬは、マスタシリンダＭＣまたはポンプ４側から車輪ブレーキＦＬ，ＲＲ，ＲＬ，ＦＲ側（詳細には、ホイールシリンダＨ側）への液圧の行き来を制御する弁であり、ホイールシリンダ圧（ホイールシリンダＨ内の圧力）を増加、保持または低下させることができる。そのため、制御弁手段ＶＬは、入口弁１、出口弁２、チェック弁１ａを備えて構成されている。
【００２０】
入口弁１は、各車輪ブレーキＦＬ，ＲＲ，ＲＬ，ＦＲとマスタシリンダＭＣとの間、すなわち車輪液圧路Ｂに設けられた常開型の電磁弁である。入口弁１は、通常時に開いていることで、マスタシリンダＭＣから各車輪ブレーキＦＬ，ＦＲ，ＲＬ，ＲＲへブレーキ液圧が伝達するのを許容している。また、入口弁１は、制御部１００により適宜閉塞されることで、ブレーキペダルＢＰから各車輪ブレーキＦＬ，ＦＲ，ＲＬ，ＲＲに伝達するブレーキ液圧を遮断する。
【００２１】
出口弁２は、各車輪ブレーキＦＬ，ＲＲ，ＲＬ，ＦＲと各リザーバ３との間、すなわち車輪液圧路Ｂと開放路Ｅとの間に介設された常閉型の電磁弁である。出口弁２は、通常時に閉塞されているが、制御部１００により適宜開放されることで、各車輪ブレーキＦＬ，ＦＲ，ＲＬ，ＲＲに作用するブレーキ液圧を各リザーバ３に逃がす。
【００２２】
チェック弁１ａは、各入口弁１に並列に接続されている。このチェック弁１ａは、各車輪ブレーキＦＬ，ＦＲ，ＲＬ，ＲＲ側からマスタシリンダＭＣ側へのブレーキ液の流入のみを許容する弁であり、ブレーキペダルＢＰからの入力が解除された場合に、入口弁１を閉じた状態にしたときにおいても、各車輪ブレーキＦＬ，ＦＲ，ＲＬ，ＲＲ側からマスタシリンダＭＣ側へのブレーキ液の流入を許容する。
【００２３】
リザーバ３は、開放路Ｅに設けられており、各出口弁２が開放されることによって逃がされるブレーキ液圧を貯留する機能を有している。また、リザーバ３とポンプ４との間には、リザーバ３側からポンプ４側へのブレーキ液の流れのみを許容するチェック弁３ａが介設されている。
【００２４】
ポンプ４は、出力液圧路Ａ１に通じる吸入液圧路Ｃと車輪液圧路Ｂに通じる吐出液圧路Ｄとの間に介設されており、リザーバ３で貯留されているブレーキ液を吸入して吐出液圧路Ｄに吐出する機能を有している。
【００２５】
オリフィス５ａは、ポンプ４から吐出されたブレーキ液の圧力の脈動および後述する調圧弁Ｒが作動することにより発生する脈動を減衰させている。
【００２６】
調圧弁Ｒは、通常時に出力液圧路Ａ１から車輪液圧路Ｂへのブレーキ液の流れを許容するとともに、ポンプ４が発生したブレーキ液圧によりホイールシリンダＨ側の圧力を増加するときには、この流れを遮断しつつ、吐出液圧路Ｄ、車輪液圧路Ｂおよび制御弁手段ＶＬ（ホイールシリンダＨ）側の圧力を設定値に調節する機能を有し、切換弁６およびチェック弁６ａを備えて構成されている。
【００２７】
切換弁６は、マスタシリンダＭＣに通じる出力液圧路Ａ１と各車輪ブレーキＦＬ，ＲＲ，ＲＬ，ＦＲに通じる車輪液圧路Ｂとの間に介設された常開型のリニアソレノイド弁である。
【００２８】
チェック弁６ａは、各切換弁６に並列に接続されている。このチェック弁６ａは、出力液圧路Ａ１から車輪液圧路Ｂへのブレーキ液の流れを許容する一方向弁である。
【００２９】
吸入弁７は、吸入液圧路Ｃに設けられた常閉型の電磁弁であり、吸入液圧路Ｃを開放する状態および遮断する状態を切り換えるものである。
【００３０】
圧力センサ９１は、出力液圧路Ａ１のブレーキ液圧を検出するものであり、その検出結果は制御部１００に入力される。
【００３１】
次に、制御部１００の詳細について説明する。
制御部１００は、液圧ユニット１０を制御して車両ＣＲの旋回外輪に設定した目標制動力で制動力を与えることにより車両ＣＲの挙動を安定化させる制御を実行する装置である。このため、制御部１００は、図３に示すように、操舵角取得手段１１０、横加速度取得手段１１１、車両速度算出手段１２０、操舵角速度算出手段１３０、規範ヨーレート算出手段１４０、限界ヨーレート設定手段１５０、挙動安定制御手段１６０および記憶手段１９０を備えて構成されている。なお、圧力センサ９１の出力は、本発明の車両挙動制御装置Ａの特徴的構成にとって必要でないので、図３においては省略している。また、以下の説明において、操舵角θ、操舵角速度ω、横加速度ＡＹなどの各変数は、左旋回時の値を正とし、右旋回時の値を負とする。
【００３２】
操舵角取得手段１１０は、操舵角センサ９３から、制御サイクルごとに操舵角θの情報を取得する手段である。操舵角θは、操舵角速度算出手段１３０および規範ヨーレート算出手段１４０に出力される。
【００３３】
横加速度取得手段１１１は、横加速度センサ９４から、制御サイクルごとに横加速度ＡＹの情報を取得する手段である。横加速度ＡＹは、挙動安定制御手段１６０に出力される。
【００３４】
車両速度算出手段１２０は、車輪速センサ９２から、制御サイクルごとに車輪速の情報（車輪速センサ９２のパルス信号）を取得し、公知の手法で車輪速度および車両速度Ｖを算出する手段である。算出した車両速度Ｖは、規範ヨーレート算出手段１４０および限界ヨーレート設定手段１５０に出力される。
【００３５】
操舵角速度算出手段１３０は、操舵角速度取得手段の一例であり、操舵角θから操舵角速度ωを算出する手段である。操舵角速度ωは、操舵角θを微分したり、前回の操舵角θｎ−１と今回の操舵角θｎの差を算出することで得ることができる。算出した操舵角速度ωは、挙動安定制御手段１６０に出力される。なお、本明細書において、変数の後に付する添え字ｎは、変数が今回値であることを示し、ｎ−１は、前回値であることを示す。
【００３６】
規範ヨーレート算出手段１４０は、操舵角θと車両速度Ｖに基づいて、公知の手法により、運転者の意図するヨーレートとしての規範ヨーレートＹＳを算出する手段である。算出された規範ヨーレートＹＳは、挙動安定制御手段１６０に出力される。
【００３７】
限界ヨーレート設定手段１５０は、車両速度Ｖに基づき、車両が安定して走行できる限界のヨーレートである限界ヨーレートＹＬを設定する手段である。限界ヨーレートＹＬは、車両速度Ｖが大きいほど小さい値に設定される。なお、本実施形態においては、路面状態がドライ路面であると仮定して算出するが、制御部１００が信頼できる推定路面摩擦係数を保持しているときには、その推定路面摩擦係数を用いて限界ヨーレートＹＬを算出してもよい。算出した限界ヨーレートＹＬは、挙動安定制御手段１６０に出力される。
【００３８】
挙動安定制御手段１６０は、車両ＣＲの旋回外輪に、設定した目標制動力で制動力を与えることにより車両ＣＲの挙動を安定させる挙動安定制御を実行する手段である。本実施形態においては、目標制動力に相当する値として、目標液圧ＰＴを設定し、旋回外輪の車輪ブレーキＦＬ，ＲＲ，ＲＬ，ＦＲのホイールシリンダ圧が目標液圧ＰＴとなるように液圧ユニット１０を制御する。この制御のために、挙動安定制御手段１６０は、制御介入閾値設定部１６３、制御介入判定部１６４、制御終了判定部１６５、急操舵判定部１６６、横加速度記憶部１６７、目標制動力設定部の一例としての目標液圧設定部１６８および制御実行部１６９を有する。
【００３９】
制御介入閾値設定部１６３は、限界ヨーレートＹＬと、操舵角速度ωとに基づいて、制御介入閾値ＹＳｔｈを設定する手段である。具体的には、限界ヨーレートＹＬに、操舵角速度ωの絶対値に依存したオフセット量ＹＤを加算（右旋回用について負側に加算）することで制御介入閾値ＹＳｔｈを算出する。このオフセット量ＹＤは、図４に示すように、操舵角速度ωの絶対値が０から所定値ω１までの間は、一定値ＹＤ１であり、所定値ω１から所定値ω２までの間は、操舵角速度ωの絶対値が大きくなるほど小さくなり、所定値ω２より大きい範囲では、ＹＤ１より小さな一定値ＹＤ２とされている。このため、制御介入閾値ＹＳｔｈの絶対値は、操舵角速度ωの絶対値が大きいほど小さく設定される。なお、図１２に示す各種ヨーレートの変化のグラフに示すように、制御介入閾値ＹＳｔｈは、右旋回用と左旋回用の２つの値を算出する。制御介入閾値設定部１６３は、算出した制御介入閾値ＹＳｔｈを、制御介入判定部１６４に出力する。
【００４０】
制御介入判定部１６４は、規範ヨーレートＹＳの絶対値が、制御介入閾値設定部１６３が設定した制御介入閾値ＹＳｔｈの絶対値を超えた場合に挙動安定制御を開始すると判定する手段である。なお、規範ヨーレートＹＳが正の場合には、左旋回用の制御介入閾値ＹＳｔｈと比較し、負の場合には、右旋回用の制御介入閾値ＹＳｔｈと比較する。
【００４１】
制御介入判定部１６４は、挙動安定制御を開始することを判定すると、制御モードＭを、非制御中（Ｍ＝０）から制御中（Ｍ＝１）に変更する。なお、制御介入閾値ＹＳｔｈは、操舵角速度ωに基づいて設定されているので、制御介入判定部１６４は、操舵角速度ωに基づいて挙動安定制御の開始を判定している。
【００４２】
制御終了判定部１６５は、挙動安定制御の終了を判定する手段である。具体的には、規範ヨーレートＹＳの絶対値が制御終了閾値としての限界ヨーレートＹＬの絶対値より小さくなった場合に挙動安定制御の終了を判定する。制御終了判定部１６５は、挙動安定制御の終了を判定すると、制御モードＭを終了処理中（Ｍ＝２）とする。
【００４３】
急操舵判定部１６６は、ステアリングＳＴが急操舵されたか否かを判定する手段である。具体的には、急操舵判定部１６６は、図５に示すように、操舵角速度ωの変化を監視し、横加速度ＡＹが記憶されていない場合（Ｋ＝０）であって、操舵角速度ωの絶対値が判定閾値ωｔｈの絶対値を超えたときに、急操舵がされたと判定する。判定閾値ωｔｈは、車両ＣＲの重量などに応じて適宜設定することができるが、一例としてωｔｈ＝４００ｄｅｇ／ｓなどとすることができる。急操舵判定部１６６は、急操舵がされたと判定すると、その旨の情報を、横加速度記憶部１６７に出力する。
【００４４】
横加速度記憶部１６７は、急操舵がされた場合に横加速度ＡＹを記憶する手段である。具体的には、横加速度記憶部１６７は、急操舵判定部１６６が、急操舵がされたと判定した場合に、一例としてその時点の、つまり、今回取得した横加速度ＡＹを記憶手段１９０に記憶させ、記憶フラグを横加速度ＡＹが記憶されている状態（Ｋ＝１）とする。ここで、記憶する横加速度ＡＹとしては、例えば、急操舵がされたと判定された時点より少し前の一時点の横加速度であってもよいし、判定時点より少し前の複数の横加速度の平均値などであってもよい。
【００４５】
図５に示すように、急操舵がされた場合であっても横加速度ＡＹはすぐには変化しないので、急操舵がされたと判定された時点（操舵角速度ωが判定閾値ωｔｈを超えた時点）の横加速度ＡＹは、それより少し前の横加速度ＡＹと略同じであり、急操舵がされる前の車両ＣＲの走行状態を意味するものとして扱うことができる。なお、記憶する横加速度ＡＹが、急操舵がされる前の走行状態を意味するようにするため、判定閾値ωｔｈは、横加速度ＡＹが大きく変動する前に操舵角速度ωが超えうる程度に小さめの値として設定される。
【００４６】
目標液圧設定部１６８は、制御モードＭが制御中であるか、終了処理中であるかに応じて目標液圧ＰＴを設定する手段である。まず、制御中の場合について説明する。制御中において、目標液圧設定部１６８は、規範ヨーレートＹＳと、限界ヨーレートＹＬと、横加速度記憶部１６７が記憶した横加速度ＡＹとに基づいて、目標液圧ＰＴを設定する。
【００４７】
目標液圧設定部１６８は、原則的には、規範ヨーレートＹＳと、限界ヨーレートＹＬの偏差ΔＹに基づいて、この偏差ΔＹが大きいほど目標液圧ＰＴを大きい値に設定する。ここで、ΔＹは、規範ヨーレートＹＳと限界ヨーレートＹＬの差の絶対値｜ＹＳ−ＹＬ｜が増加する場合には、そのまま｜ＹＳ−ＹＬ｜の値とし、減少する場合には、前回の値を保持するように計算する。すなわち、ΔＹは、｜ＹＳ−ＹＬ｜がピークを迎えた後は、ピーク値を保持するように変化する。図６は、この原則的な目標液圧ＰＴを設定するためのマップであり、偏差ΔＹが大きいほど、目標液圧ＰＴが大きい値になるように決められている。詳細には、偏差ΔＹが０から所定の値ｄ１までは、目標液圧ＰＴは徐々に大きくなり、偏差ΔＹが所定の値ｄ１以上では、目標液圧ＰＴは、一定の上限値ＰＴｍとされている。
ここで、偏差ΔＹは、車両ＣＲの挙動の乱れを反映しているので偏差ΔＹの大きさに応じて目標液圧ＰＴを設定することで、予測される車両ＣＲの挙動の乱れの大きさに応じた制動力を旋回外輪に与えることができるため、車両ＣＲの挙動の乱れを軽減することができる。
【００４８】
目標液圧設定部１６８は、原則の値として求めた目標液圧ＰＴに対し、旋回外輪に過剰な制動力を与えることによるアンダーステアの発生を抑制するため、横加速度記憶部１６７が記憶した横加速度ＡＹに応じて液圧上限値ＰＴＬを設定し、原則の値として求めた目標液圧ＰＴと、液圧上限値ＰＴＬのうち、小さい方の値を新たな目標液圧ＰＴとして設定する。
【００４９】
本実施形態において、液圧上限値ＰＴＬは、図７のマップに基づいて設定される。具体的に、目標液圧設定部１６８は、横加速度記憶部１６７が記憶した横加速度ＡＹの絶対値が横加速度閾値としての第１閾値ＡＹ１を超えた場合には、横加速度記憶部１６７が記憶した横加速度ＡＹの絶対値｜ＡＹ｜が大きいほど液圧上限値ＰＴＬを小さく設定する。そして、横加速度記憶部１６７が記憶した横加速度ＡＹの絶対値｜ＡＹ｜が第１閾値ＡＹ１よりも大きい第２閾値ＡＹ２を超えた場合は、液圧上限値ＰＴＬを一定値ＰＴＬ２に設定する。また、横加速度記憶部１６７が記憶した横加速度ＡＹの絶対値｜ＡＹ｜が第１閾値ＡＹ１以下である場合には、液圧上限値ＰＴＬを一定値ＰＴＬ１（ＰＴＬ１＞ＰＴＬ２）に設定する。
【００５０】
｜ＡＹ｜が第１閾値ＡＹ１を超える場合は、急操舵がされた時点で作用していた横加速度がある程度大きいということなので、車両ＣＲが旋回しているときにステアリングＳＴが急操舵されたということができる。このときは、その後の挙動安定制御において車両ＣＲの旋回外輪に大きな制動力を与えるとアンダーステア状態を引き起こす可能性があるため、｜ＡＹ｜が大きいほど液圧上限値ＰＴＬを小さく設定することで、液圧上限値ＰＴＬが、図６のマップから求めた目標液圧ＰＴよりも小さくなりやすくなっている。これにより、図６のマップから求めた目標液圧ＰＴと、液圧上限値ＰＴＬのうち、小さい方の値を選択したときに、新たな目標液圧ＰＴを小さくできるので、車両ＣＲの旋回外輪に与える制動力を抑えることができる。なお、｜ＡＹ｜が第２閾値ＡＹ２を超える場合に液圧上限値ＰＴＬを一定値ＰＴＬ２に設定することで、新たな目標液圧ＰＴが必要以上に小さくなることを抑えている。
【００５１】
一方、｜ＡＹ｜が第１閾値ＡＹ１以下である場合は、急操舵がされる前に作用していた横加速度が小さいということなので、車両ＣＲが略直進しているときにステアリングＳＴが急操舵されたということができる。このときは、アンダーステア状態を引き起こしにくいため、｜ＡＹ｜が第１閾値ＡＹ１を超える場合よりも液圧上限値ＰＴＬ（ＰＴＬ１）を大きく設定することで、新たな目標液圧ＰＴが、｜ＡＹ｜が第１閾値ＡＹ１を超える場合よりも大きく設定されやすくなっている。なお、液圧上限値ＰＴＬ１は、目標液圧ＰＴｍ以上であり、図６のマップから求めた目標液圧ＰＴに影響を与えない。
【００５２】
次に、終了処理中の場合の目標液圧ＰＴの設定について説明する。終了処理中において、目標液圧設定部１６８は、前回の目標液圧ＰＴｎ−１に基づき、図８のマップに基づいて今回の目標液圧ＰＴｎを設定する。図８のマップは、前回の目標液圧ＰＴｎ−１が大きいほど今回の目標液圧ＰＴｎが大きいが、今回の目標液圧ＰＴｎは、前回の目標液圧ＰＴｎ−１よりも少し小さい値になるように設定されている。なお、前回の目標液圧ＰＴｎ−１が所定値より小さい場合には、今回の目標液圧ＰＴｎは０となるように設定されている。今回の目標液圧ＰＴｎが０となる場合には、目標液圧設定部１６８は、制御モードＭを非制御中（Ｍ＝０）に変更する。制御モードＭが非制御中に変更されたとき、横加速度記憶部１６７は、記憶手段１９０に記憶させた横加速度ＡＹをリセットし、記憶フラグを横加速度ＡＹが記憶されていない状態（Ｋ＝０）とする。
【００５３】
制御実行部１６９は、目標液圧設定部１６８が設定した目標液圧ＰＴに基づいて、液圧ユニット１０を制御して、旋回外輪のホイールシリンダ圧を目標液圧ＰＴに制御する手段である。この制御は公知であるので詳細な説明は省略するが、簡単に説明すると、モータ９を作動させることでポンプ４を駆動し、吸入弁７を開けた上で、調圧弁Ｒに適宜な電流を流すように制御する。
【００５４】
記憶手段１９０は、制御部１００の動作に必要な定数、パラメータ、制御モード、マップ、計算結果などを適宜記憶する手段である。
【００５５】
以上のように構成された車両挙動制御装置Ａの制御部１００による処理について図９を参照して説明する。なお、図９の処理は、制御サイクルごとに繰り返し行われる。また、制御モードＭの初期値は０である。
まず、操舵角取得手段１１０は、操舵角センサ９３から操舵角θを取得し、横加速度取得手段１１１は、横加速度センサ９４から横加速度ＡＹを取得し、車両速度算出手段１２０は、車輪速センサ９２から車輪速度を取得する（Ｓ１０１）。そして、操舵角速度算出手段１３０は、操舵角θから操舵角速度ωを算出し、車両速度算出手段１２０は、車輪速度から車両速度Ｖを算出する（Ｓ１０２）。次に、規範ヨーレート算出手段１４０は、操舵角θと車両速度Ｖに基づいて規範ヨーレートＹＳを算出する（Ｓ１１０）。また、限界ヨーレート設定手段１５０は、車両速度Ｖに基づいて限界ヨーレートＹＬを設定する（Ｓ１１１）。
【００５６】
次に、制御介入閾値設定部１６３は、限界ヨーレートＹＬと操舵角速度ωに基づいて、制御介入閾値ＹＳｔｈを設定する（Ｓ１１２）。このとき、前記したように、限界ヨーレートＹＬに、図４に示したような、操舵角速度ωの絶対値が大きくなるほど小さくなるオフセット量ＹＤを加算して制御介入閾値ＹＳｔｈを設定するので、制御介入閾値ＹＳｔｈは、操舵角速度ωの絶対値が大きいほどその大きさが小さくなる。
【００５７】
そして、制御介入判定部１６４は、規範ヨーレートＹＳの絶対値が、右旋回用または左旋回用のうち対応する制御介入閾値ＹＳｔｈの絶対値より大きいか否か判定する。規範ヨーレートＹＳの絶対値が制御介入閾値ＹＳｔｈの絶対値より大きい場合（Ｓ１２０，Ｙｅｓ）、制御介入判定部１６４は、制御の開始を判定し、制御モードＭを１にする（Ｓ１２１）。規範ヨーレートＹＳの絶対値が制御介入閾値ＹＳｔｈの絶対値より大きくない場合（Ｓ１２０，Ｎｏ）、制御介入判定部１６４は、制御モードＭを変更することなくステップＳ１３０へ進む。
【００５８】
そして、挙動安定制御手段１６０は、制御モードＭが０か否か、つまり、非制御中か否か判定し、制御モードＭが０でない場合（Ｓ１３０，Ｎｏ：Ｍ＝１または２の場合）、ステップＳ２００〜Ｓ３００の処理を行う。
【００５９】
ステップＳ２００において、挙動安定制御手段１６０は、目標液圧ＰＴを設定する。図１０に示すように、目標液圧設定部１６８は、制御モードＭが１か否かを判定し、１でない場合、つまり、制御モードＭが２で終了処理中の場合には（Ｓ２１０，Ｎｏ）、図８のマップに基づき、前回の目標液圧ＰＴｎ−１に基づいて、今回の目標液圧ＰＴｎを決定する（Ｓ２２０）。そして、今回の目標液圧ＰＴｎが０である場合には（Ｓ２２１，Ｙｅｓ）、終了処理が完了したということなので制御モードＭを０にする（Ｓ２２２）。一方、今回の目標液圧ＰＴｎが０でない場合には（Ｓ２２１，Ｎｏ）、制御モードＭを変更することなく処理を終了する。
【００６０】
ステップＳ２１０の判定において、制御モードＭが１である場合（Ｓ２１０，Ｙｅｓ）、挙動安定制御手段１６０は、記憶フラグＫが０か否かを判定する（Ｓ２３１）。記憶フラグＫが０である場合（Ｓ２３１，Ｙｅｓ）、つまり、横加速度ＡＹが記憶されていない場合、急操舵判定部１６６は、操舵角速度ωの絶対値が判定閾値ωｔｈの絶対値を超えているか否かを判定し（Ｓ２３２）、急操舵がされているか否かを判定する。
【００６１】
急操舵がされている場合（Ｓ２３２，Ｙｅｓ）、横加速度記憶部１６７は、横加速度ＡＹを記憶し（Ｓ２３３）、記憶フラグＫを１にして（Ｓ２３４）、ステップＳ２４１へ進む。また、ステップＳ２３１において記憶フラグＫが０でない場合（横加速度ＡＹが記憶されている場合）（Ｓ２３１，Ｎｏ）や、ステップＳ２３２において操舵角速度ωの絶対値が判定閾値ωｔｈの絶対値を超えていない場合（Ｓ２３２，Ｎｏ）、ステップＳ２４１へ進む。
【００６２】
ステップＳ２４１において、目標液圧設定部１６８は、偏差ΔＹに基づき、図６のマップから目標液圧ＰＴを設定する。また、目標液圧設定部１６８は、｜ＡＹ｜（記憶した横加速度）に基づき、図７のマップから液圧上限値ＰＴＬを設定する（Ｓ２４２）。そして、目標液圧設定部１６８は、ステップＳ２４１で設定した目標液圧ＰＴと、ステップＳ２４２で設定した液圧上限値ＰＴＬのうち、小さい方の値を新たな目標液圧ＰＴとして設定する（Ｓ２４３）。
【００６３】
このようにして目標液圧ＰＴが設定されると、図９に戻り、制御実行部１６９が、旋回外輪のホイールシリンダＨ内の液圧が目標液圧ＰＴになるように、液圧ユニット１０を制御する（Ｓ１３１）。
【００６４】
次に、制御終了判定部１６５は、ステップＳ３００で制御の終了判定を行う。具体的には、図１１に示すように、規範ヨーレートＹＳの絶対値が、左右の対応する限界ヨーレートＹＬの絶対値より小さいか否か判定し、小さい場合には（Ｓ３１０，Ｙｅｓ）、挙動安定制御を終了することを判定し、制御モードＭを終了処理中である２に変更する（Ｓ３１１）。一方、規範ヨーレートＹＳの絶対値が、左右の対応する限界ヨーレートＹＬの絶対値より小さくない場合には（Ｓ３１０，Ｎｏ）、制御モードＭを変更することなく処理を終了する。
【００６５】
図９のステップＳ１３０において、制御モードＭが０である場合（Ｓ１３０，Ｙｅｓ）、挙動安定制御手段１６０は、記憶した横加速度ＡＹをリセットし（Ｓ１３２）、記憶フラグＫを０にして（Ｓ１３３）、処理を終了する。
【００６６】
以上のような制御による各種のパラメータの変化について図１２を参照しながら説明する。なお、図１２においては操舵角θを示していないが、操舵角θは、規範ヨーレートＹＳと略同じ位相で変化する。また、以下の説明において、各パラメータの値は大きさについて議論しており、「絶対値」は省略し、右旋回時も各パラメータについて正の値と同様に表現する。
【００６７】
図１２の規範ヨーレートＹＳの変化に示すように、車両ＣＲは、時刻ｔ１１〜ｔ１５の間、左にステアリングＳＴを切り、時刻ｔ１５〜ｔ１８の間、右にステアリングＳＴを切っている。限界ヨーレートＹＬは、車両速度Ｖが大きい程小さい値となるので、時刻ｔ１１以後、車両速度Ｖが徐々に小さくなることで、限界ヨーレートＹＬは徐々に大きくなっている。ここで、時刻ｔ１１の後、操舵角速度ωが大きくなると、左旋回用の制御介入閾値ＹＳｔｈは急激に小さくなる。このため、右に切返し始める前である時刻ｔ１２において、規範ヨーレートＹＳが左旋回用の制御介入閾値ＹＳｔｈを超えて、制御モードＭが０から１になる。そして、時刻ｔ１２〜ｔ１３にかけて、操舵角速度ωの減少に応じて制御介入閾値ＹＳｔｈは大きくなる。左向きの規範ヨーレートＹＳが減少し、時刻ｔ１４になると、規範ヨーレートＹＳが制御終了閾値としての限界ヨーレートＹＬより小さくなって制御モードＭが２となる。そして、終了処理が終わると制御モードＭが０となる。
【００６８】
時刻ｔ１３の後、ステアリングＳＴを右に切返し始めると、操舵角速度ωが右側に大きくなることで、右旋回用の制御介入閾値ＹＳｔｈは減少し、時刻ｔ１６において、規範ヨーレートＹＳが右旋回用の制御介入閾値ＹＳｔｈを超えると、制御モードＭが０から１になる。そして、右向きの規範ヨーレートＹＳが減少し、時刻ｔ１７になると、規範ヨーレートＹＳが限界ヨーレートＹＬより小さくなって制御モードＭが２となる。そして、終了処理が終わると制御モードＭが０となる。
【００６９】
以上のような車両挙動制御装置Ａの効果について図１３〜図１６を参照して説明する。
図１３、図１４は、車両が直進状態から左旋回、右旋回、左旋回して直進に戻る場合の各パラメータの変化を示している。図１３は、従来技術における制御の開始判定を用いた場合である。この開始の判定は、特開２０１１−１０２０４８号公報と同様に、横加速度に基づいて上限設定された修正規範ヨーレートと実ヨーレートとの偏差が閾値を超えた場合に制御を開始すると判定している。そして、閾値については、操舵角速度に応じて変更されていない。
【００７０】
従来技術においては、図１３（ａ）のように、左にステアリングを切ったことにより操舵角θがピークを迎えた後、つまり、右に切り返し始めた後である時刻ｔ２１に制御の開始が判定されている。そして、図１３（ｂ）のように、ブレーキ液圧は、最初の操舵である左旋回中には十分に発生せず、２回目の操舵である右旋回中に初めて十分な大きさで発生している。そのため、図１３（ａ）に示すように、時刻ｔ２５において、実ヨーレートが減少しており、操舵角と実ヨーレートの乖離が大きくなってアンダーステア傾向となっている。そして、時刻ｔ２４において車両の挙動の乱れの状態を示すスリップ角β（車両の進行方向と操舵方向のずれ角）は、変動が大きく、車両の挙動が乱れている。
【００７１】
一方、本実施形態の車両挙動制御装置Ａにおいては、図１４（ａ）に示すように、操舵角θがピークを迎える前の時刻ｔ３１において、つまり、最初のステアリングＳＴの切り込み時において制御の開始が判定されている。そして、図１４（ｂ）に示すように最初の操舵である左旋回中に十分に大きなブレーキ液圧が発生している。このため、車両の挙動の乱れが抑制され、図１４（ａ）に示すように、右に旋回中の時刻ｔ３５において、スリップ角βは小さく抑えられている。
【００７２】
図１５、図１６は、車両が右旋回状態から、さらに右に操舵された後に直進状態に戻る場合の各パラメータの変化を示している。図１５は、本実施形態に対し、液圧上限値ＰＴＬを設定せずに、目標液圧ＰＴを図６のマップのみに基づいて設定した比較例の場合であり、図１６は、本実施形態の場合である。
【００７３】
比較例においては、図１５（ａ）に示すように、右旋回状態からステアリングをさらに右に切り込んだ後、時刻ｔ４１で挙動安定制御が開始されると、図１５（ｂ）に示すように、大きなブレーキ液圧が発生する。このため、比較例においては、ステアリングを左に戻している最中に制動力が過剰になり、図１５（ａ）に示すように、時刻ｔ４２において、実ヨーレートが減少してアンダーステア傾向となっている。また、スリップ角βの変動が比較的急となっている。
【００７４】
一方、本実施形態においては、図１６（ａ）に示すように、右旋回状態からステアリングＳＴをさらに右に切り込んだ後、時刻ｔ５１で挙動安定制御が開始されると、図１６（ｂ）に示すように、比較例の場合よりも小さなブレーキ液圧が発生する。これは、図７のマップにおいて｜ＡＹ｜が大きいほど液圧上限値ＰＴＬを小さく設定することで、液圧上限値ＰＴＬと、図６のマップから求めた目標液圧ＰＴとの最小値である新たな目標液圧ＰＴが小さくなったためである。そのため、本実施形態においては、ブレーキ液圧が小さくなることで、図１６（ａ）に示すように、ステアリングＳＴを左に戻している最中における実ヨーレートの減少が抑えられ、アンダーステア傾向となることが抑制されている。また、スリップ角βの変動が緩やかになっている。
【００７５】
以上のように、本実施形態の車両挙動制御装置Ａによれば、車両ＣＲに比較的大きな横加速度ＡＹが作用する旋回中に急操舵されたとき、記憶した横加速度ＡＹの絶対値が大きいほど液圧上限値ＰＴＬを小さく設定するので、目標液圧ＰＴを小さくすることができ、必要以上に実ヨーレートが減少することを抑制することができる。これにより、車両挙動制御中にアンダーステア状態が発生することを抑制することができる。
【００７６】
また、記憶した横加速度ＡＹの絶対値が第１閾値ＡＹ１以下である場合に、液圧上限値ＰＴＬを一定値ＰＴＬ１に設定するので、車両ＣＲに作用する横加速度ＡＹが小さい旋回中や直進中に急操舵されたとき、目標液圧ＰＴが必要以上に小さく設定されることを抑制することができる。これにより、直進中などに急操舵されたときのオーバーステア状態を効果的に抑制して、車両ＣＲの挙動を安定させることができる。
【００７７】
また、車両挙動制御装置Ａは、実ヨーレートに基づかずに、操舵角θ、操舵角速度ωおよび車両速度Ｖに基づいて挙動安定制御の開始を判定することができるので、ステアリングＳＴの操舵の結果が実際の車両ＣＲの挙動に現れる前に挙動安定制御を開始すると判定することができる。そのため、早期に挙動安定制御を開始することができ、車両ＣＲの挙動の乱れを抑制することができる。
【００７８】
そして、車両挙動制御装置Ａは、操舵角速度ωの絶対値が大きいほど制御介入閾値ＹＳｔｈが小さくなるので、直進状態からステアリングＳＴを切り込んだ初期の段階で挙動安定制御を開始することができる。
【００７９】
また、車両挙動制御装置Ａは、規範ヨーレートＹＳと限界ヨーレートＹＬとの偏差ΔＹが大きいほど、目標液圧ＰＴを大きくするので、予測される車両ＣＲの挙動の乱れの大きさに応じた制動力を旋回外輪に与えることができるため、車両ＣＲの挙動の乱れを軽減することができる。
【００８０】
以上に本発明の一実施形態について説明したが、本発明は、前記した実施形態に限定されることなく、以下に例示するように様々な形態で実施できる。
【００８１】
前記実施形態においては、制御モードＭが０である場合に記憶した横加速度ＡＹをリセットしたが、例えば、制御モードＭが０であり、かつ、操舵角速度｜ω｜が判定閾値｜ωｔｈ｜以下の場合に記憶した横加速度ＡＹをリセットするようにしてもよい。
【００８２】
前記実施形態においては、操舵角速度取得手段として、操舵角θから操舵角速度ωを算出して取得する操舵角速度算出手段１３０を例示したが、センサから操舵角速度を取得する構成であってもよい。
【００８３】
前記実施形態においては、横加速度記憶部１６７は、急操舵判定部１６６が、急操舵がされたと判定した場合に横加速度ＡＹを記憶するように構成されていたが、これに限定されるものではない。例えば、横加速度記憶部１６７は、制御介入判定部１６４が、制御介入閾値設定部１６３が設定した制御介入閾値ＹＳｔｈに基づき、挙動安定制御を開始すると判定した場合に横加速度ＡＹを記憶するように構成されていてもよい。つまり、挙動安定制御を開始すると判定したときは急操舵がされたときであるとも言えるため、前記実施形態において、急操舵判定部１６６を備えずに、制御介入閾値設定部１６３および制御介入判定部１６４を、急操舵を判定する手段として用いてもよい。
【００８４】
前記実施形態においては、目標制動力の一例として目標液圧を設定したが、目標制動力そのものを目標値として設定してもよい。
【００８５】
前記実施形態においては、旋回外輪のうち、前輪と後輪を区別せずに目標液圧ＰＴを設定していたが、前後輪の重量配分に応じて目標液圧ＰＴの大きさを車輪ごとに調整してもよい。
【００８６】
前記実施形態においては、車両挙動安定制御を実行する場合についてのみ説明したが、車両挙動制御装置Ａにおいて、アンチロックブレーキ制御等を併せて行うように構成してもよい。
【００８７】
前記実施形態においては、マスタシリンダＭＣの液圧がホイールシリンダＨに伝わる構成のブレーキシステムにおいて本発明を適用したが、本発明の車両挙動制御装置は、電動モータによりブレーキ液を加圧してブレーキ力を発生する、いわゆるバイ・ワイヤ式のブレーキ装置に適用することもできる。
【符号の説明】
【００８８】
１０    液圧ユニット
１００  制御部
１１０  操舵角取得手段
１１１  横加速度取得手段
１２０  車両速度算出手段
１３０  操舵角速度算出手段
１４０  規範ヨーレート算出手段
１５０  限界ヨーレート設定手段
１６０  挙動安定制御手段
１６３  制御介入閾値設定部
１６４  制御介入判定部
１６５  制御終了判定部
１６６  急操舵判定部
１６７  横加速度記憶部
１６８  目標液圧設定部
Ａ      車両挙動制御装置
【図１】
2015127159.tif 000003
【図２】
2015127159.tif 000004
【図３】
2015127159.tif 000005
【図４】
2015127159.tif 000006
【図５】
2015127159.tif 000007
【図６】
2015127159.tif 000008
【図７】
2015127159.tif 000009
【図８】
2015127159.tif 000010
【図９】
2015127159.tif 000011
【図１０】
2015127159.tif 000012
【図１１】
2015127159.tif 000013
【図１２】
2015127159.tif 000014
【図１３】
2015127159.tif 000015
【図１４】
2015127159.tif 000016
【図１５】
2015127159.tif 000017
【図１６】
2015127159.tif 000018